(57)【要約】【課題】  メダル排出時にメダルの詰まりを防止して円滑に洗浄研磨させる。【解決手段】  メダル排出口７の下側口縁を含む筒体６の内周面を内側へ張り出させて下側ブラシ盤５のブラシ毛５ａと同高さのメダル受棚６ｃを形成し、メダル排出口７の上側口縁に張出部６ｄをメダル受棚６ｃよりも内側へ突設する。この構成により、メダルｍが上下に重なった状態でメダル排出口７へ進入しても、下側のメダルｍがメダル受棚６ｃに達する前に張出部６ｄが上側のメダルｍを下方へ押付し、その押付により下側のメダルｍがブラシ毛５ａを若干変形させることで逃げ場を形成し、メダル受棚６ｄと張出部６ｄとの間で固定されることなく重なったメダルｍを分離して一枚ずつ円滑に排出できるようになる。【選択図】図８
2005328892.tif 000002
【特許請求の範囲】
【請求項１】
下面にブラシ毛を植毛した上側ブラシ盤と上面にブラシ毛を植毛した下側ブラシ盤を各ブラシ毛が対向するように所定間隔おいて設け、上側ブラシ盤の中央部を開口してメダルを投入するメダル投入口とし、各ブラシ盤の外周及び下側ブラシ盤の下方を囲む筒体を設け、同筒体の側面に各ブラシ盤間のメダルを排出するメダル排出口を設け、各ブラシ盤の両方を相対的に又は下側ブラシ盤を回転させる回転駆動手段を設け、各ブラシ盤のブラシ毛が対向する部分に洗浄水を給水する給水手段を設け、メダルを濡らした状態で各ブラシ盤を相対的に回転させて洗浄研磨するようにしたメダル洗浄研磨装置において、前記メダル排出口の下側口縁を含む筒体内周面を内側へ張り出させて下側ブラシ盤のブラシ毛と同高さのメダル受棚を形成し、メダル排出口の上側口縁に張出部をメダル受棚の先端よりも内側へ突設し、メダル排出口でメダルの詰まりを防止できるようにしたことを特徴とするメダル洗浄研磨装置。
【請求項２】
張出部の直下のメダル受棚先端部にメダルの落下を防止するメダル落下防止台を形成した請求項１記載のメダル洗浄研磨装置。
【請求項３】
張出部のメダル受棚より内側への突出量が１〜５ｍｍの範囲である請求項１又は２記載のメダル洗浄研磨装置。
【請求項４】
メダル受棚と張出部との間隔が２枚のメダルの総厚より小さい間隔である請求項１〜３いずれか記載のメダル洗浄研磨装置。
【発明の詳細な説明】
【技術分野】
【０００１】
本発明は、遊技用のメダル・硬貨（以下メダルと総称する）の表面を自動的に洗浄研磨して油・脂・ゴミ・汚れを除去するメダル洗浄研磨装置に関し、詳しくはメダル排出時のメダルの詰まりを防止する技術に関する。
【背景技術】
【０００２】
従来、メダル洗浄研磨装置としては、図１０に示すように下面にブラシ毛２４ａを植毛した固定の上側ブラシ盤２４と上面にブラシ毛２５ａを植毛した回転自在の下側ブラシ盤２５を各ブラシ毛２４ａ，２５ａが対向するように所定間隔おいて設け、各ブラシ盤２４，２５間にメダルｍを投入するメダル投入口２２を設け、各ブラシ盤２４，２５の外周及び下側ブラシ盤２５の下方を囲む筒体２６を設け、筒体２６に各ブラシ盤２４，２５間のメダルｍを排出するメダル排出口２７を設け、下側ブラシ盤２５を回転させるモータ３０を設け、各ブラシ毛２４ａ，２５ａの対向部分に洗浄水Ｗを給水する給水管３４を設け、メダルｍを濡らした状態で下側ブラシ盤２５を回転させて自動的に洗浄研磨するようにした構造のものが知られている（例えば特許文献１参照）。３５は給水ポンプ、３６は吸水ローラ、３７は絞りローラである。
【０００３】
ところで、前記構造のメダル洗浄研磨装置は、メダルｍが下側ブラシ盤２５の外周面と筒体２６の内周面との間に噛み込まないようにメダル受棚２６ａを形成して隙間をできるかぎり小さくしているから、図１１に示すように例えば何かの弾みでメダルｍが上下に重なった状態でメダル排出口２７へ進入すると、メダル受棚２６ａとメダル排出口２７の天井との間に噛み込むことがあり、上下から硬い部材で挟まれることでメダルｍが逃げ場を失って機器の停止や故障を招く問題があった。
【特許文献１】特開２００１−１１３０２５号公報
【発明の開示】
【発明が解決しようとする課題】
【０００４】
本発明が解決しようとする課題は、従来のこれらの問題点を解消し、メダル排出時にメダルの詰まりを防止して円滑に洗浄研磨できるメダル洗浄研磨装置を提供することにある。
【課題を解決するための手段】
【０００５】
かかる課題を解決した本発明の構成は、
１）  下面にブラシ毛を植毛した上側ブラシ盤と上面にブラシ毛を植毛した下側ブラシ盤を各ブラシ毛が対向するように所定間隔おいて設け、上側ブラシ盤の中央部を開口してメダルを投入するメダル投入口とし、各ブラシ盤の外周及び下側ブラシ盤の下方を囲む筒体を設け、同筒体の側面に各ブラシ盤間のメダルを排出するメダル排出口を設け、各ブラシ盤の両方を相対的に又は下側ブラシ盤を回転させる回転駆動手段を設け、各ブラシ盤のブラシ毛が対向する部分に洗浄水を給水する給水手段を設け、メダルを濡らした状態で各ブラシ盤を相対的に回転させて洗浄研磨するようにしたメダル洗浄研磨装置において、前記メダル排出口の下側口縁を含む筒体内周面を内側へ張り出させて下側ブラシ盤のブラシ毛と同高さのメダル受棚を形成し、メダル排出口の上側口縁に張出部をメダル受棚の先端よりも内側へ突設し、メダル排出口でメダルの詰まりを防止できるようにしたことを特徴とするメダル洗浄研磨装置
２）  張出部の直下のメダル受棚先端部にメダルの落下を防止するメダル落下防止台を形成した前記１）記載のメダル洗浄研磨装置
３）  張出部のメダル受棚より内側への突出量が１〜５ｍｍの範囲である前記１）又は２）記載のメダル洗浄研磨装置
４）  メダル受棚と張出部との間隔が２枚のメダルの総厚より小さい間隔である前記１）〜３）いずれか記載のメダル洗浄研磨装置
にある。
【発明の効果】
【０００６】
本発明では、給水手段で各ブラシ毛の対向部分に洗浄水を給水し、回転駆動手段で各ブラシ盤を相対的に又は一方を回転させる。この状態でメダルをメダル投入口を通じて各ブラシ盤間に投入すると、メダルは洗浄水に濡れて各ブラシ毛で洗浄研磨されながら遠心力を受けて筒体の内周に沿って移行し、メダル排出口から排出する。
【０００７】
ここで、メダルが上下に重なった状態でメダル排出口へ進入しても、下側のメダルがメダル受棚に達する前に張出部が上側のメダルを下方へ押付し、全面が下側ブラシ盤のブラシ毛に載っている下側のメダルがそのブラシ毛を若干変形させて逃げ場を形成し、メダル受棚とメダル排出口の天井との間で固定されることなく重なったメダルを分離して一枚ずつ円滑に排出できるようになる。
【発明を実施するための最良の形態】
【０００８】
本発明の各ブラシ盤の回転としては、下側ブラシ盤のみを回転させる方法、上側ブラシ盤と下側ブラシ盤をそれぞれ異なる方向へ回転させる方法、上側ブラシ盤と下側ブラシ盤を異なる速度で同方向へ回転させる方法があり、少なくとも上下のブラシ毛で相対的な摩擦を生じさせる回転であればよい。
【０００９】
給水手段としては、メダル投入口からメダルの投入と同時に給水する構造が一般的であるが、各ブラシ盤のブラシ毛の植毛部分から吐水させる構造もあり、洗浄水をムラなく給水できて好ましい。洗浄水としては水又は水に洗浄剤を所要量混合させたものが一般的に用いられる。
【００１０】
各ブラシ盤のブラシ毛は、ブラシ盤に同長さのものを面状となるように植毛したものや異なる長さのものを用いて凹凸となるように植毛したものなど、ブラシ状となるものであれば形状，ブラシ毛の太さ，材質は問わないが、メダル両面の油・脂・ゴミ・汚れを確実に除去し、しかもメダルの表面を傷付けにくいものが望ましい。
【００１１】
張出部の直下のメダル受棚先端部にはメダルの落下を防止するメダル落下防止台を形成すると、メダル受棚と下側ブラシ盤の間の隙間から落下しやすい小径や厚さの薄いメダルを保持して機器のトラブルをより確実に防止できる。張出部のメダル受棚より内側への突出量としては１〜５ｍｍの範囲で十分である。メダル受棚と張出部との間隔は２枚のメダルの総厚より小さい間隔にし、一枚ずつ排出させて洗い残しを低減させる。以下、本発明の実施例を図面に基づいて具体的に説明する。
【実施例１】
【００１２】
図１は実施例のメダル洗浄研磨装置の縦断面図、図２は実施例のメダル洗浄研磨装置の分解斜視図、図３は実施例のメダル受棚と張出部の説明図、図４は実施例の下側ブラシ盤の平面図、図５は実施例の吸水部の斜視図、図６〜８は実施例のメダル洗浄研磨装置の使用状態を示す説明図である。
【００１３】
図中、１はカバー、２はメダル投入口、３は環状体、４は上側ブラシ盤、４ａは開口部、４ｂはブラシ毛、５は下側ブラシ盤、５ａはブラシ毛、５ｂは軟質シート、６は筒体、６ａは排水孔、６ｂは排水路、６ｃはメダル受棚、６ｄは張出部、７はメダル排出口、８は回転軸、８ａは従動ローラ、９はベアリング、１０はモータ、１０ａは駆動ローラ、１１は駆動ベルト、１２は貯水タンク、１３は給水ポンプ、１４は給水管、１４ａは吐水口、１５はキャビネット、１５ａはメダル排出口、１６は吸水ローラ、１６ａはギヤ、１７は絞りローラ、１７ａはギヤ、１７ｂは小ギヤ、１８は排水路、１９はモータ、１９ａはギヤ、２０は駆動チェーン、ｍはメダル、Ｗは洗浄水である。
【００１４】
本実施例のメダル洗浄研磨装置は、図１，２に示すように錐体状のメダル投入口２が形成されたカバー１に環状体３を介して下面にブラシ毛４ｂが植毛された上側ブラシ盤４をその開口部４ａとメダル投入口２とが連通するように取り付け、その下方同軸に下側ブラシ盤５を回転自在に軸支している。
【００１５】
下側ブラシ盤５は、図４に示すように上面に薄い帯状の軟質シート５ｂを中央部と同中央部から半径方向へ沿って外周端まで放射状に設け、軟質シート５ｂ以外の部分に同軟質シート５ｂとの高低差が０．５ｍｍとなる長さのブラシ毛５ａを植毛している。
【００１６】
カバー１の下方には下面に排水孔６ａと側面にメダル排出口７を備えた筒体６を上側ブラシ盤４の外周面と下側ブラシ盤５の外周面及び下方を囲むように設け、図３（ａ），（ｂ）に示すように下側ブラシ盤５のブラシ毛５ａの高さと同じ高さのメダル受棚６ｃをメダル排出口７の下側口縁を含む筒体６の内周面に沿って水平に形成し、メダル排出口７の上側口縁に張出部６ｄをその下面がメダル受棚６ｃの上面からメダルｍの厚さより高く且つ２枚のメダルｍの総厚より低い位置に来るように設け、しかもその張出部６ｄをメダル受棚６ｃの先端より内側へ３ｍｍ突出させている。
【００１７】
下側ブラシ盤５の下面には従動ローラ８ａが軸着された回転軸８を垂設してベアリング９で軸支し、従動ローラ８ａと隣設したモータ１０の駆動ローラ１０ａとの間に駆動ベルト１１を掛架し、筒体６の排水孔６ａから通じる排水路６ｂの下方に洗浄水Ｗを貯水する貯水タンク１２を設け、貯水タンク１２内の洗浄水Ｗを送り出す給水ポンプ１３を取り付け、給水ポンプ１３で送り出された洗浄水Ｗを上方へ送水する給水管１４を配管し、給水管１４の上端部を下方へ折曲して洗浄水Ｗをメダル投入口２へ吐水する吐水口１４ａを形成している。
【００１８】
筒体６のメダル排出口７の隣接位置には、排出されたメダルｍを上下から押圧して残った水滴を吸水しながら送り出すスポンジからなる一対の吸水ローラ１６を２組軸支し、下側の吸水ローラ１６の下方に吸水ローラ１６が吸水した洗浄水Ｗを絞出する硬質のプラスチックからなる絞りローラ１７を吸水ローラ１６へ押接して軸支し、各吸水ローラ１６と各絞りローラ１７にギヤ１６ａ，１７ａ，小ギヤ１７ｂを軸着して各ギヤ１６ａ，１７ａ同士を歯合し、各小ギヤ１７ｂとモータ１９の出力軸に軸着したギヤ１９ａとの間に駆動チェーン２０を掛架して連動できるようにし、絞りローラ１７で絞出した洗浄水Ｗを貯水タンク１２へ排水する排水路１８を設けている。
【００１９】
本実施例では、図６に示すようにモータ１０を作動させると駆動ベルト１１で駆動力を回転軸８に伝達して下側ブラシ盤５を回転させる。貯水タンク１２には洗浄水Ｗを貯水しており、給水ポンプ１３を作動させると洗浄水Ｗは給水管１４を通じて吐水口１４ａよりメダル投入口２へ吐水されて上側ブラシ盤４の開口部４ａから各ブラシ毛４ｂ，５ａ間に流入し、下側ブラシ盤５と筒体６との間の隙間から筒体６の底部に流れ落ちて排水孔６ａから排水路６ｂを通じて貯水タンク１２に回収され、再び給水して循環する。
【００２０】
この状態でメダルｍをメダル投入口２に投入すると、メダルｍは開口部４ａを通じて下側ブラシ盤５上に落下し、図７に示すように各ブラシ毛４ｂ，５ａと洗浄水Ｗとで両面が洗浄研磨されながら下側ブラシ盤５の回転とその遠心力で外周方向へ移行し、図８（ａ）に示すように下側ブラシ盤５と筒体６の内周面との間の隙間を越えてメダル受棚６ｃ上に載り、筒体６の内周に沿って周回しながらメダルｍの両面が洗浄研磨される。
【００２１】
その後、メダルｍは下側ブラシ盤５の半径方向に沿って設けられた軟質シート５ｃと当接し、その摩擦でメダルｍがメダル排出口７へ滑りなく迅速に移送され、油・脂・ゴミ・汚れが除去されたメダルｍがメダル排出口７から排出され、除去した油・脂・ゴミ・汚れは洗浄水Ｗとともに排水孔６ａから貯水タンク１２へ排水される。メダル排出口７から排出されたメダルｍはさらに一対の吸水ローラ１６で表面に残った洗浄水Ｗの水滴が吸水除去されながらメダル排出口１５ａへ送り出され洗浄研磨が完了する。
【００２２】
ここで、メダルｍが上下に重なった状態でメダル排出口７へ進入すると、メダル受棚６ｃとメダル排出口７の天井との間に噛み込むことがあり、上下から硬い部材で挟まれることでメダルｍが逃げ場を失って機器の停止や故障を招く問題がある。
【００２３】
しかし、本実施例によれば下側のメダルｍがメダル受棚６ｃに達する前に張出部６ｄが上側のメダルｍを下方へ押付する。その際、図８（ｂ）に示すように下側メダルｍはその全面がブラシ毛５ａに載っているから下側のメダルｍがブラシ毛５ａを若干変形させることで逃げ場を形成し、メダル受棚６ｃと張出部６ｄとの間で固定されることなく重なったメダルｍを分離して一枚ずつ円滑に排出できるようになる。
【００２４】
また、図８（ｃ）に示すように上下に重なったメダルｍがメダル受棚６ｃと張出部６ｄとの間に挟まれても、下方のメダルｍの大部分が下側ブラシ盤５のブラシ毛５ａと接しているから、下側ブラシ盤５の回転力とその摩擦により下方のメダルｍが回転方向又は少し後方へ払い除けられて分離し、排出を阻害することがない。
【００２５】
図９に示すのは実施例のメダル受棚の他の例である。図９は実施例の他の例のメダル洗浄研磨装置の使用状態を示す説明図である。図中、６ｅはメダル落下防止台である。図９に示す実施例の他の例は、メダル受棚６ｃの内側下部にメダル受棚６ｃより低い高さのメダル落下防止台６ｅを内周に沿って形成している。
【００２６】
重なったメダルｍが張出部６ｄで下方へ押付された際、下側のメダルｍがメダル受棚６ｃとブラシ毛５ａとの間の隙間から下方へ落下しようとすることがあるが、メダル落下防止台６ｅで受けて落下や噛み込みを防止する。その他、符号、構成は実施例と同じである。
【産業上の利用可能性】
【００２７】
本発明のメダル洗浄研磨装置は、メダルや硬貨の他、類似する形状の物品の洗浄研磨にも適用可能である。
【図面の簡単な説明】
【００２８】
【図１】実施例のメダル洗浄研磨装置の縦断面図である。
【図２】実施例のメダル洗浄研磨装置の分解斜視図である。
【図３】実施例のメダル受棚と張出部の説明図である。
【図４】実施例の下側ブラシ盤の平面図である。
【図５】実施例の吸水部の斜視図である。
【図６】実施例のメダル洗浄研磨装置の使用状態を示す説明図である。
【図７】実施例のメダル洗浄研磨装置の使用状態を示す説明図である。
【図８】実施例のメダル洗浄研磨装置の使用状態を示す説明図である。
【図９】実施例の他の例のメダル洗浄研磨装置の使用状態を示す説明図である。
【図１０】従来のメダル洗浄研磨装置の縦断面図である。
【図１１】従来のメダル受棚の説明図である。
【符号の説明】
【００２９】
１  カバー
２  メダル投入口
３  環状体
４  上側ブラシ盤
４ａ  開口部
４ｂ  ブラシ毛
５  下側ブラシ盤
５ａ  ブラシ毛
５ｂ  軟質シート
６  筒体
６ａ  排水孔
６ｂ  排水路
６ｃ  メダル受棚
６ｄ  張出部
６ｅ  メダル落下防止台
７  メダル排出口
８  回転軸
８ａ  従動ローラ
９  ベアリング
１０  モータ
１０ａ  駆動ローラ
１１  駆動ベルト
１２  貯水タンク
１３  給水ポンプ
１４  給水管
１４ａ  吐水口
１５  キャビネット
１５ａ  メダル排出口
１６  吸水ローラ
１６ａ  ギヤ
１７  絞りローラ
１７ａ  ギヤ
１７ｂ  小ギヤ
１８  排水路
１９  モータ
１９ａ  ギヤ
２０  駆動チェーン
２２  メダル投入口
２４  上側ブラシ盤
２４ａ  ブラシ毛
２５  下側ブラシ盤
２５ａ  ブラシ毛
２６  筒体
２６ａ  メダル受棚
２７  メダル排出口
３０  モータ
３４  給水管
３５  給水ポンプ
３６  吸水ローラ
３７  絞りローラ
ｍ  メダル
Ｗ  洗浄水
【図１】
2005328892.tif 000003
【図２】
2005328892.tif 000004
【図３】
2005328892.tif 000005
【図４】
2005328892.tif 000006
【図５】
2005328892.tif 000007
【図６】
2005328892.tif 000008
【図７】
2005328892.tif 000009
【図８】
2005328892.tif 000010
【図９】
2005328892.tif 000011
【図１０】
2005328892.tif 000012
【図１１】
2005328892.tif 000013